(57)【特許請求の範囲】
【請求項１】
光源と、
前記光源から出射した光が後方から入射し照射ビームとして前方へ出射するレンズと、
当該レンズの前方に配置された投影レンズと、を備え、
前記レンズは、その周期的な動きにより、光源の虚像の位置を移動させ、該虚像の位置の移動により投影イメージを移動させることにより、前方が前記照射ビームで走査されて所定の照射領域を形成するように構成されており、
前記光源は、レンズの動きの周期における一部の位相範囲において光度が変化するように構成されていることを特徴とする車両用灯具用の光学ユニット。
【請求項２】
前記レンズは、駆動部と接続される回転軸を中心に回転するとともに、光源から出射した光が通過する際に屈折する方向が周期的に変化するように構成されていることを特徴とする請求項１に記載の車両用灯具用の光学ユニット。
【請求項３】
前記光源は、複数の発光素子を有する光源を更に備え、
前記複数の発光素子は、発光色の異なる複数種の発光素子を含むことを特徴とする請求項１または２に記載の車両用灯具用の光学ユニット。
【請求項４】
前記複数の発光素子は、赤色発光素子、緑色発光素子および青色発光素子を含むことを特徴とする請求項３に記載の車両用灯具用の光学ユニット。
【発明の詳細な説明】
【技術分野】
【０００１】
本発明は、光学ユニットに関し、特に車両用灯具に用いられる光学ユニットに関する。
【背景技術】
【０００２】
近年、複数の発光素子で構成された光源から出射した光により車両前方を照射する車両用前照灯が知られている。例えば、複数の発光素子をマトリックス状に配置した光源の前方に集光レンズを配置し、光源と集光レンズとの間に配置された絞りにより光源から出射した光の一部を遮蔽することで所望の配光パターンを形成する車両用前照灯が考案されている（特許文献１参照）。
【先行技術文献】
【特許文献】
【０００３】
【特許文献１】特開２００１−２６６６２０号公報
【発明の概要】
【発明が解決しようとする課題】
【０００４】
しかしながら、特許文献１に示す車両用前照灯のように、車両前方の広い範囲を照射するためには非常に多くの発光素子を必要とする。そのため、装置のコストが高くなるとともに、装置が大型化することによるレイアウトの制約も多くなる。
【０００５】
本発明はこうした状況に鑑みてなされたものであり、その目的とするところは、光源の光で走査する新たな光学ユニットに関する技術を提供することにある。
【課題を解決するための手段】
【０００６】
上記課題を解決するために、本発明のある態様の光学ユニットは、光源から出射した光が後方から入射し照射ビームとして前方へ出射するレンズを備える。レンズは、その周期的な動きにより、前方を照射ビームで走査することで所定の照射領域を形成するように構成されている。
【０００７】
この態様によると、レンズの周期的な動きにより前方を照射ビームで走査することで所定の照射領域を形成できる。そのため、光源から出射したそのままの光で所定の照射領域を形成する場合と比較して光源を小型化できる。
【０００８】
レンズは、駆動部と接続される回転軸を中心に回転するとともに、光源から出射した光が通過する際に屈折する方向が周期的に変化するように構成されていてもよい。これにより、光源の光を用いた走査を簡便な構成で実現できる。
【０００９】
光源を更に備えてもよい。光源は、レンズの動きの周期における一部の位相範囲において光度が変化するように構成されていてもよい。これにより、所定の照射領域の一部の明るさを変えることができる。
【００１０】
複数の発光素子を有する光源を更に備えてもよい。複数の発光素子は、発光色の異なる複数種の発光素子を含んでもよい。これにより、同一色の発光素子のみでは実現できない色の光で前方を走査できる。
【００１１】
複数の発光素子は、赤色発光素子、緑色発光素子および青色発光素子を含んでもよい。これにより、白色の光で前方を走査できる。
【００１２】
なお、以上の構成要素の任意の組合せ、本発明の表現を方法、装置、システムなどの間で変換したものもまた、本発明の態様として有効である。
【発明の効果】
【００１３】
本発明によれば、光源の光で走査する新たな光学ユニットを提供することができる。
【図面の簡単な説明】
【００１４】
【図１】第１の実施の形態に係る車両用前照灯の水平断面図である。
【図２】図１に示す車両用前照灯の要部を示す正面図である。
【図３】本実施の形態に係る光学ユニットを含むランプユニットの構成を模式的に示した斜視図である。
【図４】図４（ａ）および図４（ｂ）は、本実施の形態に係るランプユニットにおいて回転レンズの回転角に応じたブレードの様子を示す断面図である。
【図５】図４（ａ）および図４（ｂ）の状態における投影イメージを模式的に示した図である。
【図６】図６（ａ）〜図６（ｆ）は、回転レンズの回転角度が異なる各位置での投影イメージ、および、各投影イメージを合成して形成されたハイビーム用配光パターンを示した図である。
【図７】複数種の発光素子を有する光源により前方を走査する様子を説明するための模式図である。
【図８】第２の実施の形態に係る車両用前照灯の水平断面図である。
【図９】図８に示す車両用前照灯の要部を示す正面図である。
【発明を実施するための形態】
【００１５】
以下、本発明を実施の形態をもとに図面を参照しながら説明する。各図面に示される同一または同等の構成要素、部材、処理には、同一の符号を付するものとし、適宜重複した説明は省略する。また、実施の形態は、発明を限定するものではなく例示であって、実施の形態に記述される全ての特徴やその組合せは、必ずしも発明の本質的なものであるとは限らない。
【００１６】
本発明の光学ユニットは、種々の車両用灯具に用いることができる。以下では、車両用灯具のうち車両用前照灯に本発明の光学ユニットを適用した場合について説明する。
【００１７】
（第１の実施の形態）
図１は、第１の実施の形態に係る車両用前照灯の水平断面図である。図２は、図１に示す車両用前照灯の要部を示す正面図である。車両用前照灯１０は、自動車の前端部の右側に搭載される右側前照灯であり、左側に搭載される前照灯と左右対称である以外は同じ構造である。そのため、以下では、右側の車両用前照灯１０について詳述し、左側の車両用前照灯については説明を省略する。
【００１８】
図１に示すように、車両用前照灯１０は、前方に向かって開口した凹部を有するランプボディ１２を備えている。ランプボディ１２は、その前面開口が透明な前面カバー１４によって覆われて灯室１６が形成されている。灯室１６は、２つのランプユニット１８，２０が車幅方向に並んで配置された状態で収容される空間として機能する。
【００１９】
これらランプユニットのうち内側、すなわち、右側の車両用前照灯１０にあっては図１に示す下側に配置されたランプユニット２０は、レンズを備えたランプユニットであり、配光可変ハイビームを照射するように構成されている。一方、これらランプユニットのうち外側、すなわち、右側の車両用前照灯１０にあっては図１に示す上側に配置されたランプユニット１８は、ロービームを照射するように構成されている。
【００２０】
ロービーム用のランプユニット１８は、リフレクタ２２とリフレクタ２２に支持された光源バルブ（白熱バルブ）２４と、不図示のシェードとを有する。リフレクタ２２は、既知の手段、例えば、エイミングスクリュー２３とナットを使用した手段によりランプボディ１２に対して傾動自在に支持されている。
【００２１】
ランプユニット２０は、図１に示すように、回転レンズ２６と、複数のＬＥＤ２８を有する光源２９と、回転レンズ２６の前方に配置された投影レンズとしての凸レンズ３０と、を備える。なお、ＬＥＤ２８の代わりにＥＬ素子やＬＤ素子などの半導体発光素子を光源として用いることも可能である。特に後述する配光パターンの一部を遮光するための制御には、点消灯が短時間に精度よく行える光源が好ましい。凸レンズ３０の形状は、要求される配光パターンや照度分布などの配光特性に応じて適宜選択すればよいが、非球面レンズや自由曲面レンズが用いられる。本実施の形態では、凸レンズ３０として非球面レンズを用いている。
【００２２】
光源２９は、支持プレート１３によって支持されている。支持プレート１３は、コーナー部のうち３か所がエイミングスクリュー１５によってランプボディ１２に固定されている。支持プレート１３の光源２９が設けられている面と反対側の面には、放熱フィン１７を介して放熱ファン１９が取り付けられている。これにより、光源２９は、支持プレート１３および放熱フィン１７を介して放熱ファン１９によって冷却され、温度の上昇が抑制されている。
【００２３】
回転レンズ２６は、不図示のモータなどの駆動源により回転軸Ｒを中心に一方向に回転する。また、回転レンズ２６は、ＬＥＤ２８から出射した光を回転しながら屈折し、所望の配光パターンを形成するように構成された入射面および出射面を備えている。本実施の形態では、回転レンズ２６が光学ユニットを構成している。
【００２４】
図３は、本実施の形態に係る光学ユニットを含むランプユニット２０の構成を模式的に示した斜視図である。
【００２５】
回転レンズ２６は、光源の光が透過し、屈折面として機能する透明な円板状の部材である。図３に示す回転レンズ２６は、形状の同じ２枚の扇形のブレード２６ａが筒状の回転部２６ｂの周囲に設けられている。回転レンズ２６の回転軸Ｒは、光軸Ａｘに対して平行になっており、光軸ＡｘとＬＥＤ２８とを含む平面内に設けられている。換言すると、回転軸Ｒは、回転によって左右方向に走査するＬＥＤ２８の光（照射ビーム）の走査平面に略平行に設けられている。これにより、光学ユニットの薄型化が図られる。ここで、走査平面とは、例えば、走査光であるＬＥＤ２８の光の軌跡を連続的につなげることで形成される扇形の平面ととらえることができる。
【００２６】
また、回転レンズ２６のブレード２６ａは、その厚みが、回転軸Ｒを中心とする周方向に向かうにつれて徐々に減少または増加するように構成されている。換言すると、ブレード２６ａは、回転軸Ｒを含む平面による断面形状が、回転軸Ｒを中心とする周方向に向かうにつれて徐々に変化するように構成されている。これにより、ＬＥＤ２８の光を用いた走査が可能となる。この点について更に詳述する。
【００２７】
図４（ａ）および図４（ｂ）は、本実施の形態に係るランプユニットにおいて回転レンズ２６の回転角に応じたブレードの様子を示す断面図である。図４（ａ）は、図３に示すブレード２６ａの位置Ｐ１が光源の正面にある場合の屈折の様子を示しており、図４（ｂ）は、図３に示すブレード２６ａの位置Ｐ２が光源の正面にある場合の屈折の様子を示している。なお、図中の矢印Ｙは車両の幅方向を示している。
【００２８】
ブレード２６ａの入射面２６ａ１は、ほぼ平坦な面で構成されている。一方、ブレード２６ａの出射面２６ａ２は、外周部から回転部に向かって斜めまたは曲面で構成されている。より詳述すると、ブレード２６ａは、回転軸Ｒを中心とする周方向の位置が変化するにつれて、出射面２６ａ２の径方向Ｄと光軸Ａｘとが成す角θが変化するように捩られた形状を有している。これにより、光源２９の光を用いた走査が可能となる。この点について更に詳述する。
【００２９】
図５は、図４（ａ）および図４（ｂ）の状態における投影イメージを模式的に示した図である。光軸Ａｘ上にあるＬＥＤ２８から出射した光は、ブレード２６ａの入射面２６ａ１および出射面２６ａ２で屈折され、照射ビームとして前方へ出射される。ブレード２６ａの位相が図４（ａ）に示す位置の場合、ＬＥＤ２８の虚像の位置は、光軸Ａｘから図４（ａ）の下方にずれた位置である。一方、ブレード２６ａの位相が図４（ｂ）に示す位置の場合、ＬＥＤ２８の虚像の位置は、光軸Ａｘから図４（ｂ）の上方にずれた位置である。
【００３０】
したがって、ＬＥＤ２８の虚像の位置は、ブレード２６ａの回転によって移動することになる。つまり、見かけ上、ＬＥＤ２８が車幅方向Ｙに移動することになる。そのため、照射ビームによって形成される投影イメージＩも車幅方向Ｙに移動する。このように、前方が照射ビームで走査されることで、ハイビーム用配光パターンＰＨが形成される。
【００３１】
なお、本実施の形態に係る回転レンズ２６の２つのブレード２６ａは、互いに同じ形状であるが、その境界では出射面が不連続になっている。つまり、回転レンズの２６の回転により、ＬＥＤ２８の正面を一方のブレード２６ａの位置Ｐ１の部分が通過した直後に、他方のブレード２６ａの位置Ｐ２の部分がＬＥＤ２８の正面を通過する。そのため、回転レンズ２６が一方向に回転している場合には、前述の照射ビームでの走査も一方向に行われることになる。
【００３２】
本実施の形態に係る回転レンズ２６は、１８０度回転することで、ＬＥＤ２８の光によって前方を一方向（水平方向）に１回走査できるように構成されている。換言すると、１枚のブレード２６ａがＬＥＤ２８の前を通過することで、車両前方の所望の領域がＬＥＤ２８の光によって１回走査されることになる。なお、ブレード２６ａの数や形状、回転レンズ２６の回転速度は、必要とされる配光パターンの特性や走査される像のちらつきを考慮して実験やシミュレーションの結果に基づいて適宜設定される。また、種々の配光制御に応じて回転速度を変えられる駆動部としてモータが好ましい。これにより、走査するタイミングを簡便に変えることができる。このようなモータとしては、モータ自身から回転タイミング情報を得られるものが好ましい。具体的には、ＤＣブラシレスモータが挙げられる。ＤＣブラシレスモータを用いた場合、モータ自身から回転タイミング情報を得られるため、エンコーダなどの機器を省略することができる。
【００３３】
このように、本実施の形態に係る回転レンズ２６は、ブレード２６ａの形状や回転速度を工夫することで、ＬＥＤ２８の光を用いて車両前方を左右方向に走査することができる。
【００３４】
図６（ａ）〜図６（ｆ）は、回転レンズの回転角度が異なる各位置での投影イメージ、および、各投影イメージを合成して形成されたハイビーム用配光パターンを示した図である。図６（ａ）は回転レンズの回転角度が０度の場合、図６（ｂ）は回転レンズの回転角度が４５度の場合、図６（ｃ）は回転レンズの回転角度が９０度の場合、図６（ｄ）は回転レンズの回転角度が１３５度の場合、図６（ｅ）は回転レンズの回転角度が１８０度の場合の投影イメージを示している。図６（ｆ）は、照射ビームで走査することで形成されたハイビーム用配光パターンを示している。図の縦軸および横軸の単位は度（°）であり、照射範囲および照射位置を示している。図６（ａ）〜図６（ｅ）に示すように、回転レンズ２６の回転によって投影イメージは水平方向に移動する。
【００３５】
図５（ｆ）に示すように、本実施の形態に係る車両用前照灯１０は、ＬＥＤ２８の光を回転レンズ２６で屈折させ、屈折した光で前方を走査することで実質的に矩形のハイビーム用配光パターンを形成することができる。このように、回転レンズ２６の一方向の回転により所望の配光パターンを形成することができるため、共振ミラーのような特殊な機構による駆動が必要なく、また、共振ミラーのように反射面の大きさに対する制約が少ない。なお、本実施の形態に係る回転レンズ２６は、凸レンズ３０の直径とほぼ同じ直径であり、ブレード２６ａの面積もそれに応じて大きくすることが可能である。
【００３６】
また、本実施の形態に係る光学ユニットを備えた車両用前照灯１０は、ＬＥＤ２８の点消灯のタイミングや発光度の変化を回転レンズ２６の回転と同期させることで、任意の領域が遮光されたハイビーム用配光パターンを形成することができる。また、回転レンズ２６の回転に同期させてＬＥＤ２８の発光光度を変化（点消灯）させてハイビーム用配光パターンを形成する場合、光度変化の位相をずらすことで配光パターン自体をスイブルするような制御も可能である。
【００３７】
上述のように、本実施の形態に係る車両用前照灯は、ＬＥＤの光を走査することで配光パターンを形成するとともに、発光光度の変化を制御することで配光パターンの一部に任意に遮光部を形成することができる。そのため、複数のＬＥＤの一部を消灯して遮光部を形成する場合と比較して、少ない数のＬＥＤで所望の領域を精度よく遮光することができる。また、車両用前照灯１０は、複数の遮光部を形成することができるため、前方に複数の車両が存在する場合であっても、個々の車両に対応する領域を遮光することが可能となる。
【００３８】
また、車両用前照灯１０は、基本となる配光パターンを動かさずに遮光制御することが可能なため、遮光制御時にドライバに与える違和感を低減できる。また、ランプユニット２０を動かさずに配光パターンをスイブルすることができるため、ランプユニット２０の機構を簡略化することができる。そのため、車両用前照灯１０は、配光可変制御のための駆動部としては回転レンズ２６の回転に必要なモータを有していればよく、構成の簡略化と低コスト化、小型化が図られている。
【００３９】
（光源の構成）
前述の光源２９は、複数のＬＥＤ２８で構成されているが、所望の照射性能を満たすことができれば一つのＬＥＤ２８で構成されていてもよい。また、光源は、発光素子と蛍光体とを組み合わせた白色ＬＥＤでもよい。また、光源は、発光色の異なる複数種の発光素子を有してもよい。これにより、同一色の発光素子のみでは実現できない色の光で前方を走査できる。また、光源は、複数の発光素子として、赤色発光素子（Ｒ素子）、緑色発光素子（Ｇ素子）および青色発光素子（Ｂ素子）を含んでもよい。これにより、白色の光で前方を走査できる。また、蛍光体を用いずに白色光を実現できるため、光源の光を照明に効率よく利用することができる。なお、白色光を実現するためには、青色発光素子と黄色発光素子の組合せ、または、シアン発光素子とマゼンタ発光素子との組合せであってもよい。
【００４０】
図７は、複数種の発光素子を有する光源により前方を走査する様子を説明するための模式図である。図７の上段に示すように、光源２９が、Ｒ素子、Ｇ素子およびＢ素子をライン状に複数組備えている場合、回転レンズ２６の回転角度が０度における投影イメージＩは、照射領域Ｄの左部に位置している。そして、この投影イメージは、赤、緑、青の順で異なる色で構成されている。しかしながら、このような投影イメージが図７の右方向へ移動されることで、少なくとも照射領域Ｄの中央部Ｄ１が白色光で照射される。
【００４１】
ライン状（アレイ状）に配置されたＲ素子、Ｇ素子およびＢ素子を備える光源の場合、図７に示すように、回転レンズの回転によって２素子分だけ投影イメージＩが移動するように回転レンズ２６の形状が設定されていれば白色光を実現できる。このようなわずかな移動であれば、回転レンズの入射面や出射面における光の屈折角度の変化は小さくてもよい。そのため、回転レンズの厚みを薄くでき、製造や加工も容易となる。また、複数種の発光素子を有する光源の場合、照射領域Ｄの両端部Ｄ２は、中央部Ｄ１と異なる色で照射される。このように、光源２９が、複数種の発光素子をライン状に備えている場合、照射領域を照射する光の色を部分的に変化させることができる。
【００４２】
以上、本実施の形態の車両用前照灯１０が備える光学ユニットの機能をまとめると以下のようになる。
【００４３】
本実施の形態に係る光学ユニットは、光源２９から出射した光が後方から入射し照射ビームとして前方へ出射する回転レンズ２６を備える。回転レンズ２６は、その回転動作により、前方を照射ビームで走査することで所定の照射領域を形成するように構成されている。これにより、回転レンズ２６の周期的な動きにより前方を照射ビームで走査することで所定の照射領域を形成できる。そのため、光源から出射したそのままの光で所定の照射領域を形成する場合と比較して光源を小型化できる。
【００４４】
また、回転レンズ２６は、モータなどの駆動部と接続される回転軸Ｒを中心に回転するとともに、光源２９から出射した光が通過する際に屈折する方向が周期的に変化するように構成されている。これにより、光源２９の光を用いた走査を簡便な構成で実現できる。
【００４５】
また、光源２９は、回転レンズ２６の動きの周期における一部の位相範囲において光度が変化するように構成されていてもよい。これにより、所定の照射領域の一部の明るさを変えることができる。特に、光源を一部の位相範囲において消灯することで、照射領域の一部の領域が遮光された配光パターンの形成が可能となる。
【００４６】
また、光学ユニットは、回転レンズ２６と、複数の発光素子がライン状（アレイ状）に配列された面積（幅）の広い光源２９とを組み合わせることで、照射ビームでのわずかな走査によって所望の照射領域を照射できる。
【００４７】
また、回転レンズ２６の回転軸Ｒは光軸Ａｘと平行なため、左右のランプユニット２０における回転レンズ２６の配置を同じにできる。
【００４８】
また、複数のＬＥＤチップが配列された光源２９から出射された光を、そのまま照射ビームとして前方へ出射した場合、チップとチップの隙間が暗い部分として投影イメージに形成されてしまう。その結果、照射領域に部分的な明るさのムラが生じる。しかしながら、本実施の形態に係る光学ユニットは、回転レンズ２６によって前方を照射ビームで走査できるため、このような明るさのムラが低減される。
【００４９】
（第２の実施の形態）
図８は、第２の実施の形態に係る車両用前照灯の水平断面図である。図９は、図８に示す車両用前照灯の要部を示す正面図である。
【００５０】
図８に示すように、車両用前照灯１１０は、前方に向かって開口した凹部を有するランプボディ１１２を備えている。ランプボディ１１２は、その前面開口が透明な前面カバー１１４によって覆われて灯室１１６が形成されている。灯室１１６は、２つの光源１２９ａ，１２９ｂを備えたランプユニット１２０が収容される空間として機能する。
【００５１】
ランプユニット１２０は、図８に示すように、回転レンズ１２６と、複数のＬＥＤ１２８ａを有する光源１２９ａおよび複数のＬＥＤ１２８ｂを有する光源１２９ｂと、回転レンズ１２６の前方に配置された、投影レンズとしての凸レンズ１２２，１２４と、を備え、配光可変ハイビームを照射するように構成されている。凸レンズ１２２，１２４の形状は、要求される配光パターンや照度分布などの配光特性に応じて適宜選択すればよいが、非球面レンズや自由曲面レンズが用いられる。
【００５２】
光源１２９ａ，１２９ｂは、支持プレート１１３によって支持されている。支持プレート１１３は、コーナー部のうち３か所がエイミングスクリュー１１５によってランプボディ１１２に固定されている。支持プレート１１３の光源１２９ａ，１２９ｂが設けられている面と反対側の面には、放熱フィン１１７を介して放熱ファン１１９が取り付けられている。これにより、光源１２９ａ，１２９ｂは、支持プレート１１３および放熱フィン１１７を介して放熱ファン１１９によって冷却され、温度の上昇が抑制されている。
【００５３】
回転レンズ１２６は、不図示のモータなどの駆動源により回転軸Ｒを中心に一方向に回転する。また、回転レンズ１２６は、ＬＥＤ１２８ａ，１２８ｂから出射した光を回転しながら屈折し、所望の配光パターンを形成するように構成された入射面および出射面を備えている。なお、回転レンズ１２６による光の屈折は、第１の実施の形態に係る回転レンズ２６と同様の作用であるため、説明は省略する。
【００５４】
本実施の形態に係る光学ユニット１１８は、回転レンズ２６と、発光素子としてのＬＥＤを有する複数の光源１２９ａ，１２９ｂと、を備えている。複数の光源のうち一方の光源１２９ａが有する複数のＬＥＤ１２８ａは、集光用のＬＥＤであり、ハイビーム用配光パターンに適した進行方向正面への強い集光を実現するように配置されている。複数の光源のうち他方の光源１２９ｂが有する複数のＬＥＤ１２８ｂは、拡散用のＬＥＤであり、ハイビーム用配光パターンに適した広い範囲を照射する拡散光を実現するように配置されている。なお、各光源が有するＬＥＤは必ずしも複数である必要はなく、十分な明るさを実現できればＬＥＤは１つでもよい。また、常に全てのＬＥＤを点灯させる必要はなく、車両の走行状況や前方の状態に応じて一部のＬＥＤのみを点灯させてもよい。
【００５５】
光源１２９ａおよび光源１２９ｂは、それぞれ出射した光が、回転レンズ１２６の各ブレード１２６ａによって異なる位置で屈折されるように配置されている。このように、複数の光源１２９ａ，１２９ｂを、それぞれの出射した光が回転レンズ１２６のブレード１２６ａの異なる位置で屈折するように配置することにより、複数の配光パターンを形成できるとともに、それらの配光パターンを合成して新たな配光パターンを形成することも可能なため、より理想的な配光パターンの設計が容易となる。
【００５６】
以上、本発明を上述の各実施の形態を参照して説明したが、本発明は上述の各実施の形態に限定されるものではなく、各実施の形態の構成を適宜組み合わせたものや置換したものについても本発明に含まれるものである。また、当業者の知識に基づいて各実施の形態における組合せや処理の順番を適宜組み替えることや各種の設計変更等の変形を各実施の形態に対して加えることも可能であり、そのような変形が加えられた実施の形態も本発明の範囲に含まれうる。
【００５７】
例えば、車両用前照灯は、回転レンズを回転させずに任意の角度で停止させることで、最大光度が非常に高いスポット光を所望の位置に形成することができる。これにより、特定の障害物（人を含む）を明るいスポット光で照射することで注意喚起を促すことが可能となる。
【００５８】
また、上述の実施の形態で用いられる非球面レンズは、必ずしも歪んだ像を補正するものである必要はなく、歪んだ像を補正しないものであってもよい。
【００５９】
また、上述の各実施の形態では、光学ユニットを車両用灯具に適用した場合について説明したが、必ずしもこの分野への適用に限らない。例えば、種々の配光パターンを切り替えて照明を行う舞台や娯楽施設における照明器具に適用してもよい。従来、このような分野の照明器具は、照明方向を変えるための大掛かりな駆動機構が必要あったが、本実施の形態に係る光学ユニットであれば、回転レンズの回転と光源の点消灯で様々な配光パターンを形成できるため、大掛かりな駆動機構が不要であり、小型化が可能である。
【００６０】
また、上述の各実施の形態に係る光学ユニットでは、回転レンズに対して、前方を照射ビームで走査する方向が車両の幅方向となる位置に光源が配置されている。しかしながら、回転レンズに対して、前方を照射ビームで走査する方向が車両の上下方向となる位置に光源を配置してもよい。これにより、光源の光による上下方向への走査も可能となる。
【符号の説明】
【００６１】
１０  車両用前照灯、  ２０  ランプユニット、  ２６  回転レンズ、  ２６ａ  ブレード、  ２６ａ１  入射面、  ２６ａ２  出射面、  ２６ｂ  回転部、  ２８  ＬＥＤ、  ２９  光源、  ３０  凸レンズ、  １１８  光学ユニット、  １１９  放熱ファン、  １２０  ランプユニット。
【図１】
0005815995.tif 000002
【図２】
0005815995.tif 000003
【図３】
0005815995.tif 000004
【図４】
0005815995.tif 000005
【図５】
0005815995.tif 000006
【図６】
0005815995.tif 000007
【図７】
0005815995.tif 000008
【図８】
0005815995.tif 000009
【図９】
0005815995.tif 000010